(57)【要約】【課題】顧客の購買作業をより容易にすること。【解決手段】複数の商品を複数の集合に対応付ける購入要求情報を端末から収集するステップと、複数の配送日時に対応する複数の配送日時情報を配送システムに配信するステップと、その複数の商品の全部を決済するための決済情報を決済システムに配信するステップとを備えている。その複数の配送日時情報のうちの第１配送日時に対応する第１配送日時情報は、その複数の集合のうちの第１集合がその第１配送日時に対応するときに、その第１配送日時とその複数の商品のうちのその第１集合に対応する第１商品とを示している。その複数の配送日時情報のうちのその第１配送日時と異なる第２配送日時に対応する第２配送日時情報は、その複数の集合のうちの第２集合がその第２配送日時に対応するときに、その第２配送日時とその複数の商品のうちのその第２集合に対応する第２商品とを示している。【選択図】図１０
2011053921.tif 000002
【特許請求の範囲】
【請求項１】
複数の商品を複数の集合に対応付ける購入要求情報を端末から収集する購入要求情報収集部と、
複数の配送日時に対応する複数の配送日時情報を配送システムに配信する配送時刻情報配信部とを具備し、
前記複数の配送日時情報のうちの第１配送日時に対応する第１配送日時情報は、前記複数の集合のうちの第１集合が前記第１配送日時に対応するときに、前記複数の商品のうちの前記第１集合に対応する第１商品を示し、
前記複数の配送日時情報のうちの前記第１配送日時と異なる第２配送日時に対応する第２配送日時情報は、前記複数の集合のうちの第２集合が前記第２配送日時に対応するときに、前記複数の商品のうちの前記第２集合に対応する第２商品を示す
オンライン販売装置。
【請求項２】
請求項１において、
前記複数の商品の全部を決済するための決済情報を決済システムに配信する決済情報配信部  をさらに具備するオンライン販売装置。
【請求項３】
請求項１または請求項２のいずれかにおいて、
前記配送時刻情報配信部は、前記購入要求情報が収集された要求受付日に基づいて前記複数の集合と前記複数の配送日時との対応を算出する
オンライン販売装置。
【請求項４】
請求項１〜請求項３のいずれかにおいて、
前記購入要求情報収集部は、前記端末により実行されることにより前記購入要求情報を作成するユーザインタフェースを前記端末に配信する
オンライン販売装置。
【請求項５】
請求項４において、
前記ユーザインタフェースは、複数の販売商品に対応する複数の商品情報画面を表示装置に表示し、
前記複数の商品情報画面は、それぞれ、前記複数の集合に対応する複数のボタンを備え、
前記ユーザインタフェースは、前記複数の商品情報画面のうちの１つの販売商品に対応する商品情報画面が表示されている場合で、前記端末に入力される情報に基づいて前記複数のボタンのうちの１つのボタンが選択されたときに、前記１つの販売商品が前記複数の集合のうちの前記１つのボタンに対応する集合に対応するように、前記購入要求情報を作成する
オンライン販売装置。
【請求項６】
請求項４または請求項５のいずれかにおいて、
前記ユーザインタフェースは、前記複数の商品に対応する複数の集合移動ボタンを備える集合状況画面をさらに表示し、前記複数の商品のうちの１つの設定済商品が前記複数の集合のうちの１つの設定済集合に対応する場合で、前記端末に入力される情報に基づいて前記複数の集合移動ボタンのうちの前記設定済商品に対応する集合移動ボタンが選択されたときに、前記設定済商品が前記複数の集合のうちの前記設定済集合と異なる他の集合に対応するように、前記購入要求情報を作成する
オンライン販売装置。
【請求項７】
請求項４〜請求項６のいずれかにおいて、
前記複数の販売商品は、複数の条件に対応付けられ、
前記ユーザインタフェースは、前記複数の販売商品のうちの１つの条件に対応する制限付販売商品が前記複数の集合のうちの前記１つの条件を満足しない集合に対応しないように、前記購入要求情報を作成する
オンライン販売装置。
【請求項８】
複数の商品を複数の集合に対応付ける購入要求情報を端末から収集するステップと、
複数の配送日時に対応する複数の配送日時情報を配送システムに配信するステップとを具備し、
前記複数の配送日時情報のうちの第１配送日時に対応する第１配送日時情報は、前記複数の集合のうちの第１集合が前記第１配送日時に対応するときに、前記複数の商品のうちの前記第１集合に対応する第１商品を示し、
前記複数の配送日時情報のうちの前記第１配送日時と異なる第２配送日時に対応する第２配送日時情報は、前記複数の集合のうちの第２集合が前記第２配送日時に対応するときに、前記複数の商品のうちの前記第２集合に対応する第２商品を示す
オンライン販売方法。
【請求項９】
請求項８において、
前記複数の商品の全部を決済するための決済情報を決済システムに配信するステップ
をさらに具備するオンライン販売方法。
【請求項１０】
請求項８または請求項９のいずれかにおいて、
前記購入要求情報が収集された要求受付日に基づいて前記複数の集合と前記複数の配送日時との対応を算出するステップ
をさらに具備するオンライン販売方法。
【請求項１１】
請求項８〜請求項１０のいずれかにおいて、
前記端末により実行されることにより前記購入要求情報を作成するユーザインタフェースを前記端末に配信するステップ
をさらに具備するオンライン販売方法。
【請求項１２】
請求項１１において、
前記ユーザインタフェースは、複数の販売商品に対応する複数の商品情報画面を表示装置に表示し、
前記複数の商品情報画面は、それぞれ、前記複数の集合に対応する複数のボタンを備え、
前記ユーザインタフェースは、前記複数の商品情報画面のうちの１つの販売商品に対応する商品情報画面が表示されている場合で、前記端末に入力される情報に基づいて前記複数のボタンのうちの１つのボタンが選択されたときに、前記１つの販売商品が前記複数の集合のうちの前記１つのボタンに対応する集合に対応するように、前記購入要求情報を作成する
オンライン販売方法。
【請求項１３】
請求項１１または請求項１２のいずれかにおいて、
前記ユーザインタフェースは、前記複数の商品に対応する複数の集合移動ボタンを備える集合状況画面をさらに表示し、前記複数の商品のうちの１つの設定済商品が前記複数の集合のうちの１つの設定済集合に対応する場合で、前記端末に入力される情報に基づいて前記複数の集合移動ボタンのうちの前記設定済商品に対応する集合移動ボタンが選択されたときに、前記設定済商品が前記複数の集合のうちの前記設定済集合と異なる他の集合に対応するように、前記購入要求情報を作成する
オンライン販売方法。
【請求項１４】
請求項１１〜請求項１３のいずれかにおいて、
前記複数の販売商品は、複数の条件に対応付けられ、
前記ユーザインタフェースは、前記複数の販売商品のうちの１つの条件に対応する制限付販売商品が前記複数の集合のうちの前記１つの条件を満足しない集合に対応しないように、前記購入要求情報を作成する
オンライン販売方法。
【請求項１５】
請求項８〜請求項１４のいずれかに記載されるオンライン販売方法をコンピュータに実行させるためのコンピュータプログラムである
オンライン販売用プログラム。
【発明の詳細な説明】
【技術分野】
【０００１】
本発明は、オンライン販売装置およびオンライン販売方法に関し、特に、顧客から注文された商品をその顧客に配送するときに利用されるオンライン販売装置およびオンライン販売方法に関する。
【背景技術】
【０００２】
顧客からインターネットを介して注文された商品をその顧客に配送するオンライン販売システムが知られている。このようなオンライン販売システムは、顧客の購買作業をより容易にすることが望まれている。
【０００３】
特開２０００−１３７７５３号公報には、不定期に配送されてくる情報や商品等を受取者の都合の良いように受け取ることができる受配信システムが開示されている。その受配信システムは、端末装置とサーバーを有している。その端末装置は、受信手段と記憶手段と表示手段と注文手段と入力手段と送信手段と制御手段とからなる。その受信手段は、通信ネットワークを介し情報を受信する。その記憶手段は、前記情報を記憶する。その表示手段は、前記情報を表示する。その注文手段は、前記情報に基づいて条件設定して注文できる。その入力手段は、情報を条件指定して入力する。その送信手段は、入力情報を送信する。その制御手段は、これら各々の手段を制御する。そのサーバーは、前記端末装置からの注文または情報を受信、集計するデータベース、および前記注文手段、入力手段からの条件設定情報に基づいて情報配信および注文品を配送する。
【０００４】
特開２００３−６７５８４号公報には、指定食材が配達される指定配達日時に、顧客が確実に注文状況を認識することができるようにする食材受注処理システムが開示されている。その食材受注処理システムは、クライアント端末との間で通信回線を介して通信可能に構成され、記憶手段と送信表示手段とを備えている。その記憶手段は、料理レシピに関するレシピデータの複数を格納する。その送信表示手段は、前記記憶手段から抽出した前記レシピデータを前記クライアント端末に送信して表示させる。このとき、その食材受注処理システムは、前記複数のレシピデータのうち顧客が指定した指定レシピデータにおける指定食材の受注を行う。その食材受注処理システムは、さらに、受注処理手段と通知処理手段とを備えている。その受注処理手段は、前記指定食材と、前記指定食材を配達する指定配達日と、前記顧客が指定した指定配達先と、前記顧客が指定した指定電子メールアドレスとを認識可能な注文データを、前記クライアント端末から受信して受注処理を行う。その通知処理手段は、前記指定配達日時の前に、前記指定レシピデータに関する情報を有する通知電子メールを、前記指定電子メールアドレスに送信する通知処理を行う。
【０００５】
特開２００４−８６７７７号公報には、インターネット上のショッピングサイトで商品購入を行った際に、配送元等の属性別に注文データを管理することが可能な注文情報管理システムが開示されている。その注文情報管理システムは、オンライン上のコンピュータにアクセスして商品の購入手続きを行うシステムであって、商品データベースと商品提示手段と情報受付手段と商品分類手段と属性別管理手段と決済方法設定手段とを有している。その商品データベースは、販売する商品の情報を記録している。その商品提示手段は、前記商品データベースから商品情報を抽出して利用者に提示する機能を有する。その情報受付手段は、利用者からの情報を受け付ける。その商品分類手段は、前記情報受付手段により受け付けた情報が商品選択情報である場合に、当該選択された商品情報の属性に基づいて商品を分類する。その属性別管理手段は、前記分類された商品情報を属性別に管理する。その決済方法設定手段は、前記情報受付手段により受け付けた情報が決済方法選択情報である場合に、当該選択された決済方法を、前記属性別管理手段に対して設定する。前記商品提示手段は、前記属性別管理手段で管理されている設定に基づいて、属性別に商品を提示する機能を有することを特徴としている。
【先行技術文献】
【特許文献】
【０００６】
【特許文献１】特開２０００−１３７７５３号公報
【特許文献２】特開２００３−６７５８４号公報
【特許文献３】特開２００４−８６７７７号公報
【発明の概要】
【発明が解決しようとする課題】
【０００７】
「１週間分の商品を発注し、半分は翌日に受け取りたく、残り半分は４日後に受け取りたい」というように、顧客側が配送日を複数指定したい場合がある。たとえば、その４日後に受け取りたい商品が生鮮食料品を含み、その生鮮食料品としては新鮮であるものを受け取りたい場合がある。従来のネットショップでは、顧客は、このような場合に、配送日ごとに一連の購買作業を複数回繰り返す必要があり、処理が繁雑である。
【０００８】
そこで、本発明の課題は、顧客の購買作業をより容易にするオンライン販売装置およびオンライン販売方法を提供することにある。
【課題を解決するための手段】
【０００９】
本発明によるオンライン販売装置は、購入要求情報収集部と配送時刻情報配信部とを備えている。その購入要求情報収集部は、複数の商品を複数の集合に対応付ける購入要求情報を端末から収集する。その配送時刻情報配信部は、複数の配送日時に対応する複数の配送日時情報を配送システムに配信する。その複数の配送日時情報のうちの第１配送日時に対応する第１配送日時情報は、その複数の集合のうちの第１集合がその第１配送日時に対応するときに、その第１配送日時とその複数の商品のうちのその第１集合に対応する第１商品とを示している。その複数の配送日時情報のうちのその第１配送日時と異なる第２配送日時に対応する第２配送日時情報は、その複数の集合のうちの第２集合がその第２配送日時に対応するときに、その第２配送日時とその複数の商品のうちのその第２集合に対応する第２商品とを示している。
【００１０】
本発明によるオンライン販売方法は、複数の商品を複数の集合に対応付ける購入要求情報を端末から収集するステップと、複数の配送日時に対応する複数の配送日時情報を配送システムに配信するステップとを備えている。その複数の配送日時情報のうちの第１配送日時に対応する第１配送日時情報は、その複数の集合のうちの第１集合がその第１配送日時に対応するときに、その第１配送日時とその複数の商品のうちのその第１集合に対応する第１商品とを示している。その複数の配送日時情報のうちのその第１配送日時と異なる第２配送日時に対応する第２配送日時情報は、その複数の集合のうちの第２集合がその第２配送日時に対応するときに、その第２配送日時とその複数の商品のうちのその第２集合に対応する第２商品とを示している。
【００１１】
本発明によるオンライン販売用プログラムは、本発明によるオンライン販売方法をコンピュータに実行させるためのコンピュータプログラムである。
【発明の効果】
【００１２】
本発明によるオンライン販売装置およびオンライン販売方法は、その複数の配送日時情報に基づいてその第１商品がその第１配送日時に配送され、その第２商品がその第２配送日時に配送されるときに、その複数の商品を複数の配送日時に分けて購入するときの顧客の作業をより容易にすることができる。
【図面の簡単な説明】
【００１３】
【図１】図１は、本発明によるオンライン販売装置を示すブロック図である。
【図２】図２は、店舗処理部を示すブロック図である。
【図３】図３は、顧客情報格納部に格納される顧客情報を示す図である。
【図４】図４は、商品情報格納部に格納される商品情報を示す図である。
【図５】図５は、第１購入品情報格納部に格納される第１購入品情報を示す図である。
【図６】図６は、第２購入品情報格納部に格納される第２購入品情報を示す図である。
【図７】図７は、配送時刻情報格納部に格納される配送時刻情報を示す図である。
【図８】図８は、商品情報画面を示す図である。
【図９】図９は、カート状況画面を示す図である。
【図１０】図１０は、本発明によるオンライン販売方法を示すフローチャートである。
【発明を実施するための形態】
【００１４】
図面を参照して、本発明によるオンライン販売装置の実施の形態を記載する。そのオンライン販売装置１００は、図１に示されているように、オンライン販売システムに適用されている。そのオンライン販売システムは、インターネット５００を介して複数のコンピュータが互いに双方向に情報を伝送することができるように接続されている。その複数の情報処理装置は、オンライン販売装置１００と端末２００と決済システム３００と配送システム４００とを含んでいる。なお、インターネット５００は、他のネットワークに置換されることができる。そのネットワークとしては、専用回線網、ＬＡＮ（Ｌｏｃａｌ  Ａｒｅａ  Ｎｅｔｗｏｒｋ）が例示される。
【００１５】
端末２００は、携帯電話機やパーソナルコンピュータに例示されるコンピュータであり、図示されていないＣＰＵと記憶装置とリムーバルメモリドライブと入力装置とディスプレイと通信装置とを備えている。そのＣＰＵは、端末２００にインストールされるコンピュータプログラムを実行して、その記憶装置とリムーバルメモリドライブと入力装置とディスプレイと通信装置とを制御する。その記憶装置は、そのコンピュータプログラムを記録し、そのＣＰＵにより生成される情報を一時的に記録する。そのリムーバルメモリドライブは、記録媒体が挿入されたときに、その記録媒体に記録されている情報を読み出すことに利用される。そのリムーバルメモリドライブは、さらに、コンピュータプログラムが記録されている記録媒体が挿入されたときに、そのコンピュータプログラムを端末２００にインストールするときに利用される。その入力装置は、ユーザに操作されることにより情報を生成し、その情報をそのＣＰＵに出力する。そのディスプレイは、そのＣＰＵにより生成される画像をユーザに認識可能に表示する。その通信装置は、インターネット５００を介してそのＣＰＵにより生成された情報を他のコンピュータに送信し、インターネット５００を介して他のコンピュータから出力された情報をそのＣＰＵに出力する。その通信装置は、さらに、インターネット５００に公開されているコンピュータプログラムを端末２００にインストールするときに利用される。
【００１６】
端末２００は、顧客により利用される。端末２００は、その顧客に操作されることにより購入要求情報を作成し、インターネット５００を介してその購入要求情報をオンライン販売装置１００に送信する。
【００１７】
決済システム３００は、パーソナルコンピュータに例示されるコンピュータであり、図示されていないＣＰＵと記憶装置と入力装置とディスプレイと通信装置とを備えている。そのＣＰＵは、決済システム３００にインストールされるコンピュータプログラムを実行して、その記憶装置と入力装置とディスプレイと通信装置とを制御する。その記憶装置は、そのコンピュータプログラムを記録し、そのＣＰＵにより生成される情報を一時的に記録する。その入力装置は、ユーザに操作されることにより情報を生成し、その情報をそのＣＰＵに出力する。そのディスプレイは、そのＣＰＵにより生成される画像をユーザに認識可能に表示する。その通信装置は、インターネット５００を介してそのＣＰＵにより生成された情報を他のコンピュータに送信し、インターネット５００を介して他のコンピュータから出力された情報をそのＣＰＵに出力する。
【００１８】
決済システム３００は、決済業者により利用される。その決済業者は、決済システム３００を用いて、オンライン販売装置１００から配信される決済情報を参照して、端末２００を利用する顧客から商品代金を徴収し、オンライン販売装置１００を利用する販売業者に商品代金を支払う。
【００１９】
配送システム４００は、携帯電話機やパーソナルコンピュータに例示されるコンピュータであり、図示されていないＣＰＵと記憶装置と入力装置とディスプレイと通信装置とを備えている。そのＣＰＵは、配送システム４００にインストールされるコンピュータプログラムを実行して、その記憶装置と入力装置とディスプレイと通信装置とを制御する。その記憶装置は、そのコンピュータプログラムを記録し、そのＣＰＵにより生成される情報を一時的に記録する。その入力装置は、ユーザに操作されることにより情報を生成し、その情報をそのＣＰＵに出力する。そのディスプレイは、そのＣＰＵにより生成される画像をユーザに認識可能に表示する。その通信装置は、インターネット５００を介してそのＣＰＵにより生成された情報を他のコンピュータに送信し、インターネット５００を介して他のコンピュータから出力された情報をそのＣＰＵに出力する。
【００２０】
配送システム４００は、配送業者により利用される。その配送業者は、配送システム４００を用いて、オンライン販売装置１００から配信される配送指示を参照して、所定の商品を所定の日時までに配送する。
【００２１】
オンライン販売装置１００は、コンピュータであり、図示されていないＣＰＵと記憶装置とリムーバルメモリドライブと入力装置とディスプレイとを備えている。そのＣＰＵは、オンライン販売装置１００にインストールされるコンピュータプログラムを実行して、その記憶装置と入力装置とディスプレイとインタフェースとを制御する。その記憶装置は、そのコンピュータプログラムを記録し、そのＣＰＵにより生成される情報を一時的に記録する。そのリムーバルメモリドライブは、記録媒体が挿入されたときに、その記録媒体に記録されている情報を読み出すことに利用される。そのリムーバルメモリドライブは、特に、コンピュータプログラムが記録されている記録媒体が挿入されたときに、そのコンピュータプログラムをオンライン販売装置１００にインストールするときに利用される。その入力装置は、ユーザに操作されることにより情報を生成し、その情報をそのＣＰＵに出力する。そのディスプレイは、そのＣＰＵにより生成される画像をユーザに認識可能に表示する。その通信装置は、インターネット５００を介してそのＣＰＵにより生成された情報を他のコンピュータに送信し、インターネット５００を介して他のコンピュータから出力された情報をそのＣＰＵに出力する。
【００２２】
オンライン販売装置１００は、販売業者により利用される。その販売業者は、オンライン販売装置１００を用いて、その顧客から注文を受注し、所定の商品の配送をその配送業者に依頼し、その決済をその決済業者に依頼する。
【００２３】
オンライン販売装置１００にインストールされるコンピュータプログラムは、オンライン販売装置１００に複数の機能を実現させるための複数のコンピュータプログラムから形成されている。その複数の機能は、店舗処理部１１０と顧客情報格納部１２０と商品情報格納部１３０と第１購入品情報格納部１４０と第２購入品情報格納部１５０と配送時刻情報格納部１６０とを含んでいる。店舗処理部１１０は、商品販売処理を行う。顧客情報格納部１２０は、顧客情報を格納する。商品情報格納部１３０は、商品情報を格納する。第１購入品情報格納部１４０は、第１購入品情報を格納する。第２購入品情報格納部１５０は、第２購入品情報を格納する。配送時刻情報格納部１６０は、商品の配送時刻情報を格納する。
【００２４】
図２は、店舗処理部１１０を示している。店舗処理部１１０は、購入要求情報収集部１と配送時刻情報配信部２と決済情報配信部３とを備えている。
【００２５】
購入要求情報収集部１は、インターネット５００を介してオンライン販売装置１００が端末２００からインタフェース要求を受信したときに、インターネット５００を介して端末２００にユーザインタフェースを送信する。そのインタフェース要求は、端末２００を利用する顧客の氏名とその顧客の住所とを示している。購入要求情報収集部１は、さらに、そのインタフェース要求に基づいて顧客情報を作成し、その顧客情報を顧客情報格納部１２０に格納する。
【００２６】
購入要求情報収集部１は、さらに、インターネット５００を介して端末２００から送信された購入要求情報を収集する。その購入要求情報は、端末２００を利用する顧客に割り当てられた顧客ＩＤを示し、複数の商品ＩＤを第１カートまたは第２カートのうちのいずれかに対応付け、その複数の商品ＩＤを複数の数量に対応付けている。購入要求情報収集部１は、さらに、その購入要求情報に基づいて第１購入要求情報と第２購入要求情報とを生成する。その第１購入要求情報は、その購入要求情報が示す顧客ＩＤとその複数の商品ＩＤのうちの第１カートに対応する商品ＩＤとその購入要求情報が受信された要求受付日とを示している。その第２購入要求情報は、その購入要求情報が示す顧客ＩＤとその複数の商品ＩＤのうちの第２カートに対応する商品ＩＤとその購入要求情報が受信された要求受付日とを示している。購入要求情報収集部１は、さらに、その第１購入要求情報を第１購入品情報格納部１４０に格納し、その第２購入要求情報を第２購入品情報格納部１５０に格納する。
【００２７】
配送時刻情報配信部２は、第１購入品情報格納部１４０に格納された第１購入品情報と第２購入品情報格納部１５０に格納された第２購入品情報とに基づいて配送時刻情報を作成する。配送時刻情報配信部２は、さらに、その配送時刻情報を配送時刻情報格納部１６０に格納する。配送時刻情報配信部２は、配送時刻情報格納部１６０に格納された配送時刻情報に基づいて配送指示を作成する。その配送指示は、配送時刻と顧客ＩＤとの組を商品ＩＤに対応付けている。配送時刻情報配信部２は、インターネット５００を介して、その配送指示を配送システム４００に送信する。
【００２８】
決済情報配信部３は、購入要求情報収集部１により収集された購入要求情報に基づいて決済情報を生成し、インターネット５００を介して決済システム３００にその決済情報を送信する。その決済情報は、顧客ＩＤを金額に対応付けている。
【００２９】
図３は、顧客情報格納部１２０に格納される顧客情報を示している。その顧客情報１０は、顧客ＩＤ集合１１を氏名集合１２と住所集合１４とに対応付けている。すなわち、顧客ＩＤ集合１１のうちの任意の要素は、氏名集合１２のうちの１つの要素に対応し、住所集合１４のうちの１つの要素に対応している。顧客ＩＤ集合１１の要素は、それぞれ、複数の顧客に割り当てられた複数の顧客ＩＤのうちの１つを示し、その複数の顧客のうちの１つを識別している。氏名集合１２のうちのある顧客ＩＤに対応する要素は、その顧客ＩＤにより識別される顧客の氏名を示している。住所集合１４のうちのある顧客ＩＤに対応する要素は、その顧客ＩＤにより識別される顧客の住所を示している。
【００３０】
顧客情報１０は、たとえば、「０００１」を示す顧客ＩＤにより識別される顧客の氏名が「山田太郎」であることを示し、その顧客の住所が「東京都港区芝五丁目」であることを示している。
【００３１】
すなわち、購入要求情報収集部１は、インターネット５００を介して端末２００からインタフェース要求を受信したときに、その端末２００を利用する顧客に顧客ＩＤを割り当てる。購入要求情報収集部１は、さらに、その顧客ＩＤがそのインタフェース要求が示す氏名とそのインタフェース要求が示す住所とに対応するように、その顧客ＩＤを顧客ＩＤ集合１１に追加し、その氏名を氏名集合１２に追加し、その住所を住所集合１４に追加する。
【００３２】
図４は、商品情報格納部１３０に格納される商品情報を示している。その商品情報２０は、商品ＩＤ集合２１を商品名集合２２と価格集合２３とに対応付けている。すなわち、商品ＩＤ集合２１のうちの任意の要素は、商品名集合２２のうちの１つの要素に対応し、価格集合２３のうちの１つの要素に対応している。商品ＩＤ集合２１の要素は、それぞれ、オンライン販売装置１００を利用する販売業者により販売される複数の商品に割り当てられた複数の商品ＩＤを示し、その複数の商品のうちの１つの商品を識別している。商品名集合２２のうちのある商品ＩＤに対応する要素は、その商品ＩＤにより識別される商品の商品名を示し、その商品ＩＤにより識別される商品に関する情報を示している。価格集合２３のうちのある商品ＩＤに対応する要素は、その商品ＩＤにより識別される商品の価格を示している。
【００３３】
商品情報２０は、たとえば、「０００１」を示す商品ＩＤにより識別される商品の商品名が「豚バラ肉２００グラム」であることを示し、その商品の価格が「２５０円」であることを示している。
【００３４】
図５は、第１購入品情報格納部１４０に格納される第１購入品情報を示している。その第１購入品情報３０は、顧客ＩＤ集合３１を商品ＩＤ集合３２と要求受付日集合３３とに対応付けている。すなわち、顧客ＩＤ集合３１のうちの任意の要素は、商品ＩＤ集合３２のうちの１つの要素に対応し、要求受付日集合３３のうちの１つの要素に対応している。顧客ＩＤ集合３１の要素は、それぞれ、購入要求情報収集部１により収集された購入要求情報が示す顧客ＩＤを示し、その購入要求情報を作成した顧客を識別している。商品ＩＤ集合３２のうちのある顧客ＩＤに対応する要素は、購入要求情報収集部１により収集された購入要求情報によりその顧客ＩＤに対応付けられた商品ＩＤを示し、その購入要求情報を作成した顧客に購入要求された商品のうちの第１カートに対応する商品の商品ＩＤを示している。要求受付日集合３３のうちのある顧客ＩＤに対応する要素は、購入要求情報収集部１により収集された購入要求情報によりその顧客ＩＤに対応付けられた要求受付日を示し、オンライン販売装置１００が端末２００からその購入要求情報を受信した要求受付日を示している。
【００３５】
第１購入品情報３０は、たとえば、「０００１」を示す顧客ＩＤにより識別される顧客が、「０００１」を示す商品ＩＤにより識別される商品と「００４３」を示す商品ＩＤにより識別される商品とを注文したことを示している。
【００３６】
すなわち、購入要求情報収集部１は、その第１購入要求情報を作成したときに、その第１購入要求情報が示す顧客ＩＤがその第１購入要求情報が示す商品ＩＤとその第１購入要求情報が示す要求受付日とに対応するように、その顧客ＩＤを顧客ＩＤ集合３１に追加し、その商品ＩＤを商品ＩＤ集合３２に追加し、その要求受付日を要求受付日集合３３に追加する。
【００３７】
図６は、第２購入品情報格納部１５０に格納される第２購入品情報を示している。その第２購入品情報４０は、顧客ＩＤ集合４１を商品ＩＤ集合４２と要求受付日集合４３とに対応付けている。すなわち、顧客ＩＤ集合４１のうちの任意の要素は、商品ＩＤ集合４２のうちの１つの要素に対応し、要求受付日集合４３のうちの１つの要素に対応している。顧客ＩＤ集合４１の要素は、それぞれ、購入要求情報収集部１により収集された購入要求情報が示す顧客ＩＤを示し、その購入要求情報を作成した顧客を識別している。商品ＩＤ集合４２のうちのある顧客ＩＤに対応する要素は、購入要求情報収集部１により収集された購入要求情報によりその顧客ＩＤに対応付けられた商品ＩＤを示し、その購入要求情報を作成した顧客に購入要求された商品のうちの第２カートに対応する商品の商品ＩＤを示している。要求受付日集合４３のうちのある顧客ＩＤに対応する要素は、購入要求情報収集部１により収集された購入要求情報によりその顧客ＩＤに対応付けられた要求受付日を示し、オンライン販売装置１００が端末２００からその購入要求情報を受信した要求受付日を示している。
【００３８】
第２購入品情報４０は、たとえば、「０００１」を示す顧客ＩＤにより識別される顧客が、「０００５」を示す商品ＩＤにより識別される商品を注文したことを示している。
【００３９】
すなわち、購入要求情報収集部１は、その第２購入要求情報を作成したときに、その第２購入要求情報が示す顧客ＩＤがその第２購入要求情報が示す商品ＩＤとその第２購入要求情報が示す要求受付日とに対応するように、その顧客ＩＤを顧客ＩＤ集合４１に追加し、その商品ＩＤを商品ＩＤ集合４２に追加し、その要求受付日を要求受付日集合４３に追加する。
【００４０】
図７は、配送時刻情報格納部１６０に格納される配送時刻情報を示している。その配送時刻情報５０は、時刻集合５１と顧客ＩＤ集合５２とを商品ＩＤ集合５３に対応付けている。すなわち、時刻集合５１のうちの任意の要素と顧客ＩＤ集合５２のうちの任意の要素との組み合わせは、商品ＩＤ集合５３のうちの１つの要素に対応している。時刻集合５１の要素は、それぞれ、配送時刻を示している。顧客ＩＤ集合５２の要素は、それぞれ、商品を注文した顧客を識別する顧客ＩＤを示している。商品ＩＤ集合５３のうちのある時刻とある顧客ＩＤとの組み合わせに対応する要素は、その顧客ＩＤにより識別される顧客によりその時刻までの配送を依頼された商品の商品ＩＤを示している。
【００４１】
配送時刻情報５０は、たとえば、「０００１」を示す顧客ＩＤにより識別される顧客に、「２００９／２／１４」により示される時刻までに、「０００２」「００４３」を示す商品ＩＤにより識別される２つの商品を配送することを示している。
【００４２】
すなわち、配送時刻情報配信部２は、第１購入品情報３０の要求受付日集合３３のうちの１つの要求受付日に基づいて配送時刻を算出する。その配送時刻は、その要求受付日の翌日を示している。配送時刻情報配信部２は、その配送時刻が顧客ＩＤ集合３１のうちのその要求受付日に対応する顧客ＩＤと商品ＩＤ集合３２のうちのその要求受付日に対応する商品ＩＤとに対応するように、その配送時刻を時刻集合５１に追加し、その顧客ＩＤを顧客ＩＤ集合５２に追加し、その商品ＩＤを商品ＩＤ集合５３に追加する。配送時刻情報配信部２は、さらに、第２購入品情報４０の要求受付日集合４３のうちの１つの要求受付日に基づいて配送時刻を算出する。その配送時刻は、その要求受付日の４日後を示している。配送時刻情報配信部２は、その配送時刻が顧客ＩＤ集合４１のうちのその要求受付日に対応する顧客ＩＤと商品ＩＤ集合４２のうちのその要求受付日に対応する商品ＩＤとに対応するように、その配送時刻を時刻集合５１に追加し、その顧客ＩＤを顧客ＩＤ集合５２に追加し、その商品ＩＤを商品ＩＤ集合５３に追加する。
【００４３】
図８は、購入要求情報収集部１により配信されるユーザインタフェースが端末２００により実行されているときに、端末２００のディスプレイに表示される商品情報画面を示している。その商品情報画面６０は、商品情報２０の商品ＩＤ集合２１に対応する複数の商品情報画面のうちの１つであり、端末２００の入力装置を介して入力された情報に基づいて商品情報２０の商品ＩＤ集合２１から１つの商品ＩＤが選択されたときに表示される。商品情報画面６０は、商品情報欄６１と第１ボタン６２と第２ボタン６３とを備えている。商品情報欄６１には、その選択された商品ＩＤにより識別される商品に関する情報が表示され、商品名と価格とが表示されている。その商品名は、商品名集合２２のうちのその商品ＩＤに対応する商品名を示している。その価格は、価格集合２３のうちのその商品ＩＤに対応する価格を示している。第１ボタン６２には、文字列「『通常配送カート』に入れる」が表示されている。第２ボタン６３には、文字列「『後から配送カート』に入れる」が表示されている。
【００４４】
端末２００は、商品情報画面６０が表示されているときに、端末２００の入力装置を介して入力された情報に基づいて第１ボタン６２または第２ボタン６３のいずれかを選択する。端末２００は、第１ボタン６２が選択されたときに、商品ＩＤ集合２１のうちの商品情報画面６０に対応する商品ＩＤを第１カートに対応付ける。端末２００は、第２ボタン６３が選択されたときに、商品ＩＤ集合２１のうちの商品情報画面６０に対応する商品ＩＤを第２カートに対応付ける。端末２００は、商品情報画面６０に対応する商品ＩＤが第１カートまたは第２カートに対応付けられた後に、さらに、端末２００の入力装置を介して入力された数量をその商品ＩＤに対応付ける。
【００４５】
図９は、購入要求情報収集部１により配信されるユーザインタフェースが端末２００により実行されているときに、端末２００のディスプレイに表示されるカート状況画面を示している。そのカート状況画面７０は、端末２００の入力装置を介して所定の情報が入力されたときに表示される。カート状況画面７０は、通常配送カート領域７１と後から配送カート領域７２とを備えている。通常配送カート領域７１は、複数の商品名表示欄７３−１〜７３−ｎ（ｎ＝１，２，３，４，…）と複数の数量表示欄７４−１〜７４−ｎと複数の価格表示欄７５−１〜７５−ｎとを備えている。複数の商品名表示欄７３−１〜７３−ｎは、その購入要求情報が示す複数の商品ＩＤに対応している。複数の商品名表示欄７３−１〜７３−ｎのうちのある商品ＩＤに対応する商品名表示欄７３−ｉ（ｉ＝１，２，３，…，ｎ）には、商品情報２０の商品名集合２２のうちのその商品ＩＤに対応する商品名が表示されている。数量表示欄７４−ｉには、その購入要求情報によりその商品ＩＤに対応付けられた数量が表示されている。価格表示欄７５−ｉには、価格集合２３のうちのその商品ＩＤに対応する価格が表示されている。
【００４６】
通常配送カート領域７１は、さらに、複数の数量変更ボタン７６−１〜７６−ｎと複数の削除ボタン７７−１〜７７−ｎと複数のカート移動ボタン７８−１〜７８−ｎとを備えている。複数の数量変更ボタン７６−１〜７６−ｎには、それぞれ、文字列「数量変更」が表示されている。複数の削除ボタン７７−１〜７７−ｎには、それぞれ、文字列「削除」が表示されている。複数のカート移動ボタン７８−１〜７８−ｎには、それぞれ、文字列「カート移動」が表示されている。数量変更ボタン７６−ｉは、商品ＩＤ集合２１のうちの商品名表示欄７３−ｉに対応する商品ＩＤに対応している。削除ボタン７７−ｉは、商品ＩＤ集合２１のうちの商品名表示欄７３−ｉに対応する商品ＩＤに対応している。カート移動ボタン７８−ｉは、商品ＩＤ集合２１のうちの商品名表示欄７３−ｉに対応する商品ＩＤに対応している。
【００４７】
端末２００は、カート状況画面７０が表示されている最中に、端末２００の入力装置を介して入力された情報に基づいて数量変更ボタン７６−ｉが選択されたときに、端末２００の入力装置を介して入力される数量に数量変更ボタン７６−ｉに対応する商品ＩＤに対応する数量が変更されるように、その購入要求情報を更新する。端末２００は、カート状況画面７０が表示されている最中に、端末２００の入力装置を介して入力された情報に基づいて削除ボタン７７−ｉが選択されたときに、削除ボタン７７−ｉに対応する商品ＩＤが削除されるように、その購入要求情報を更新する。端末２００は、カート状況画面７０が表示されている最中に、端末２００の入力装置を介して入力された情報に基づいてカート移動ボタン７８−ｉが選択されたときに、カート移動ボタン７８−ｉに対応する商品ＩＤが第２カートに対応するように、その購入要求情報を更新する。
【００４８】
後から配送カート領域７２は、複数の商品名表示欄８１−１〜８１−ｍ（ｍ＝１，２，３，４，…）と複数の数量表示欄８２−１〜８２−ｍと複数の価格表示欄８３−１〜８３−ｍとを備えている。複数の商品名表示欄８１−１〜８１−ｍは、その購入要求情報が示す複数の商品ＩＤに対応している。複数の商品名表示欄８１−１〜８１−ｍのうちのある商品ＩＤに対応する商品名表示欄８１−ｊ（ｊ＝１，２，３，…，ｍ）には、商品名集合２２のうちのその商品ＩＤに対応する商品名が表示されている。数量表示欄８２−ｊには、その購入要求情報によりその商品ＩＤに対応付けられた数量が表示されている。価格表示欄８３−ｊには、価格集合２３のうちのその商品ＩＤに対応する価格が表示されている。
【００４９】
後から配送カート領域７２は、さらに、複数の数量変更ボタン８４−１〜８４−ｍと複数の削除ボタン８５−１〜８５−ｍと複数のカート移動ボタン８６−１〜８６−ｍとを備えている。複数の数量変更ボタン８４−１〜８４−ｍには、それぞれ、文字列「数量変更」が表示されている。複数の削除ボタン８５−１〜８５−ｍには、それぞれ、文字列「削除」が表示されている。複数のカート移動ボタン８６−１〜８６−ｍには、それぞれ、文字列「カート移動」が表示されている。数量変更ボタン８４−ｊは、商品ＩＤ集合２１のうちの商品名表示欄８１−ｊに対応する商品ＩＤに対応している。削除ボタン８５−ｊは、商品ＩＤ集合２１のうちの商品名表示欄８１−ｊに対応する商品ＩＤに対応している。カート移動ボタン８６−ｊは、商品ＩＤ集合２１のうちの商品名表示欄８１−ｊに対応する商品ＩＤに対応している。
【００５０】
端末２００は、カート状況画面７０が表示されている最中に、端末２００の入力装置を介して入力された情報に基づいて数量変更ボタン８４−ｊが選択されたときに、端末２００の入力装置を介して入力される数量に数量変更ボタン８４−ｊに対応する商品ＩＤに対応する数量が変更されるように、その購入要求情報を更新する。端末２００は、カート状況画面７０が表示されている最中に、端末２００の入力装置を介して入力された情報に基づいて削除ボタン８５−ｊが選択されたときに、削除ボタン８５−ｊに対応する商品ＩＤが削除されるように、その購入要求情報を更新する。端末２００は、カート状況画面７０が表示されている最中に、端末２００の入力装置を介して入力された情報に基づいてカート移動ボタン８６−ｊが選択されたときに、カート移動ボタン８６−ｊに対応する商品ＩＤが第１カートに対応するように、その購入要求情報を更新する。
【００５１】
図１０は、本発明によるオンライン販売方法の実施の形態を示している。顧客は、オンライン販売システムを用いて商品の購入を依頼したいときに、まず、端末２００に所定の操作をし、その顧客の氏名とその顧客の住所とを端末２００に入力する。端末２００は、インターネット５００を介して、その氏名と住所とを示すインタフェース要求をオンライン販売装置１００に送信する。購入要求情報収集部１は、そのインタフェース要求を受信したときに、その端末２００を利用する顧客に顧客ＩＤを割り当て、その顧客ＩＤがそのインタフェース要求が示す氏名とそのインタフェース要求が示す住所とに対応するように、顧客情報格納部１２０に格納される顧客情報１０を更新する。オンライン販売装置１００は、そのインタフェース要求を受信したときに、さらに、インターネット５００を介して端末２００にユーザインタフェースを返信する。
【００５２】
端末２００は、そのユーザインタフェースを実行することにより、その顧客ＩＤと複数の商品ＩＤを示す購入要求情報を作成する。すなわち、端末２００は、端末２００の入力装置を介して入力された情報により商品情報２０の商品ＩＤ集合２１から１つの商品ＩＤが選択されたときに、その商品ＩＤに対応する商品情報画面６０を表示する。端末２００は、商品情報画面６０の第１ボタン６２または第２ボタン６３が選択されたときに、商品ＩＤ集合２１のうちの商品情報画面６０に対応する商品ＩＤを示すように、その購入要求情報を更新する。端末２００は、さらに、第１ボタン６２が選択されたときに第１カートがその商品ＩＤに対応するように、第２ボタン６３が選択されたときに第２カートがその商品ＩＤに対応するように、その購入要求情報を更新する。端末２００は、次いで、端末２００の入力装置を介して入力された数量がその商品ＩＤに対応するように、その購入要求情報を更新する。
【００５３】
端末２００は、さらに、端末２００の入力装置を介して所定の情報が入力されたときにカート状況画面７０を表示する。端末２００は、カート状況画面７０の数量変更ボタン７６−ｉが選択されたときに、端末２００の入力装置を介して入力される数量が数量変更ボタン７６−ｉに対応する商品ＩＤに対応するように、その購入要求情報を更新する。端末２００は、削除ボタン７７−ｉが選択されたときに、削除ボタン７７−ｉに対応する商品ＩＤが削除されるように、その購入要求情報を更新する。端末２００は、カート移動ボタン７８−ｉが選択されたときに、カート移動ボタン７８−ｉに対応する商品ＩＤが第２カートに対応するように、その購入要求情報を更新する。端末２００は、数量変更ボタン８４−ｊが選択されたときに、端末２００の入力装置を介して入力される数量が数量変更ボタン８４−ｊに対応する商品ＩＤに対応するように、その購入要求情報を更新する。端末２００は、削除ボタン８５−ｊが選択されたときに、削除ボタン８５−ｊに対応する商品ＩＤが削除されるように、その購入要求情報を更新する。端末２００は、カート移動ボタン８６−ｊが選択されたときに、カート移動ボタン８６−ｊに対応する商品ＩＤが第１カートに対応するように、その購入要求情報を更新する。端末２００は、端末２００の入力装置を介して所定の情報が入力されたときに、インターネット５００を介してその購入要求情報をオンライン販売装置１００に送信する（ステップＳ１１）。
【００５４】
オンライン販売装置１００は、その購入要求情報を受信したときに、その購入要求情報に基づいて第１購入要求情報と第２購入要求情報とを生成する。その第１購入要求情報は、その購入要求情報が示す顧客ＩＤとその複数の商品ＩＤのうちの第１カートに対応する商品ＩＤとその購入要求情報が受信された要求受付日とを示している。その第２購入要求情報は、その購入要求情報が示す顧客ＩＤとその複数の商品ＩＤのうちの第２カートに対応する商品ＩＤとその購入要求情報が受信された要求受付日とを示している。オンライン販売装置１００は、その第１購入要求情報が示す顧客ＩＤがその第１購入要求情報が示す商品ＩＤとその第１購入要求情報が示す要求受付日とに対応するように、その顧客ＩＤを第１購入品情報３０の顧客ＩＤ集合３１に追加し、その商品ＩＤを商品ＩＤ集合３２に追加し、その要求受付日を要求受付日集合３３に追加する。オンライン販売装置１００は、その第２購入要求情報を作成したときに、その第２購入要求情報が示す顧客ＩＤがその第２購入要求情報が示す商品ＩＤとその第２購入要求情報が示す要求受付日とに対応するように、その顧客ＩＤを第２購入品情報４０の顧客ＩＤ集合４１に追加し、その商品ＩＤを商品ＩＤ集合４２に追加し、その要求受付日を要求受付日集合４３に追加する。
【００５５】
オンライン販売装置１００は、第１購入品情報３０の要求受付日集合３３のうちの１つの要求受付日に基づいて配送時刻を算出する。その配送時刻は、その要求受付日の翌日を示している。オンライン販売装置１００は、その配送時刻が顧客ＩＤ集合３１のうちのその要求受付日に対応する顧客ＩＤと商品ＩＤ集合３２のうちのその要求受付日に対応する商品ＩＤとに対応するように、その配送時刻を配送時刻情報５０の時刻集合５１に追加し、その顧客ＩＤを顧客ＩＤ集合５２に追加し、その商品ＩＤを商品ＩＤ集合５３に追加する（ステップＳ１２）。
【００５６】
オンライン販売装置１００は、さらに、第２購入品情報４０の要求受付日集合４３のうちの１つの要求受付日に基づいて配送時刻を算出する。その配送時刻は、その要求受付日の４日後を示している。オンライン販売装置１００は、その配送時刻が顧客ＩＤ集合４１のうちのその要求受付日に対応する顧客ＩＤと商品ＩＤ集合４２のうちのその要求受付日に対応する商品ＩＤとに対応するように、その配送時刻を配送時刻情報５０の時刻集合５１に追加し、その顧客ＩＤを顧客ＩＤ集合５２に追加し、その商品ＩＤを商品ＩＤ集合５３に追加する（ステップＳ１３）。
【００５７】
オンライン販売装置１００は、配送時刻情報５０に基づいて配送指示を作成する。その配送指示は、複数の組を複数の商品ＩＤに対応付けている。その複数の組は、それぞれ、配送時刻情報５０の時刻集合５１のうちの１つの配送時刻と顧客ＩＤ集合５２のうちの１つの顧客ＩＤとを示している。その複数の商品ＩＤは、商品ＩＤ集合５３のうちのその配送時刻とその顧客ＩＤとの組に対応する商品ＩＤを示している。オンライン販売装置１００は、インターネット５００を介して、その配送指示を配送システム４００に送信する（ステップＳ１４）。このとき、配送業者は、配送システム４００を用いて、オンライン販売装置１００から配信される配送指示を参照して、所定の顧客に所定の日時までに所定の商品を配送する。その所定の顧客は、その配送指示が示す顧客ＩＤにより識別される顧客を示している。その所定の日時は、その配送指示が示す配送日時を示している。その所定の商品は、その配送指示でその所定の顧客と所定の日時との組に対応付けられる複数の商品ＩＤにより識別される商品を示している。
【００５８】
オンライン販売装置１００は、ステップＳ１１で収集された購入要求情報に基づいて決済情報を生成する。その決済情報は、顧客ＩＤを金額に対応付けている。その顧客ＩＤは、その購入要求情報が示す顧客ＩＤを示している。その金額は、その購入要求情報が示す複数の商品ＩＤにより識別される複数の商品の代金を示し、その複数の商品ＩＤに対応する複数の積の総和を示している。その複数のうちのある商品ＩＤに対応する積は、商品情報２０の価格集合２３のうちのその商品ＩＤに対応する価格とその購入要求情報で商品ＩＤに対応付けられた数量との積を示している。オンライン販売装置１００は、さらに、インターネット５００を介して決済システム３００にその決済情報を送信する（ステップＳ１５）。このとき、その決済業者は、決済システム３００を用いて、その決済情報を参照して、その決済情報が示す顧客ＩＤにより識別される顧客からその決済情報が示す金額の代金を徴収し、オンライン販売装置１００を利用する販売業者にその徴収された代金を支払う。
【００５９】
このようなオンライン販売方法によれば、端末２００を利用する顧客は、複数の商品を複数の配送日時に分けて購入したいときに、その複数の配送日時ごとに購入要求情報を作成する必要がなく、一度の購買手続きで複数の商品の複数日時での配送を指定することが可能となる。すなわち、オンライン販売装置１００は、複数の商品を複数の配送日時に分けて購入するときの顧客の作業をより容易にすることができる。このようなオンライン販売方法によれば、さらに、複数の商品を複数の配送日時に分けて購入したいときに、１つの購入要求情報を作成してオンライン販売装置１００に送信することにより、複数の商品の決済を一度にまとめることができ、好ましい。
【００６０】
本発明によるオンライン販売装置の実施の他の形態は、既述の実施の形態におけるオンライン販売装置１００の商品情報２０が他の商品情報に置換されている。その商品情報は、商品ＩＤ集合２１を条件集合にさらに対応付けている。すなわち、商品ＩＤ集合２１のうちの任意の要素は、その条件集合のうちの１つの要素に対応している。その条件集合のうちのある商品ＩＤに対応する要素は、その商品ＩＤにより識別される商品が配送されることができる配送日時を制限する条件を示し、たとえば、選択不可ボタンを示している。このとき、そのユーザインタフェースは、商品情報画面６０が表示されているときに、商品情報画面６０に対応する商品ＩＤに対応する条件が示す選択不可ボタンが選択されないように、端末２００を制御する。
【００６１】
このようなオンライン販売装置は、既述の実施の形態と同様にして、複数の商品を複数の配送日時に分けて購入するときの顧客の作業をより容易にすることができる。このようなオンライン販売装置によれば、さらに、販売業者は、商品の配送日時を制限することができ、たとえば、今日採れた生鮮食料品に例示される商品を期間限定で翌々日以降に配送されないようにすることができ、様々な配送戦略をとることができる。
【００６２】
なお、本発明によるオンライン販売装置は、その購入要求情報が複数の商品ＩＤに対応付ける配送時刻の種類の数を３種類以上に増加させることもできる。このとき、そのオンライン販売装置がその増加分の他の購入品情報格納部をさらに備え、商品情報画面６０がその増加分の他のボタンをさらに備えることにより、そのオンライン販売装置は、既述の実施の形態と同様にして、複数の商品を複数の配送日時に分けて購入するときの顧客の作業をより容易にすることができ、さらに、顧客が商品を配送してもらいたい配送日時の自由度を増加させることができる。
【００６３】
なお、本発明によるオンライン販売装置は、その購入要求情報が示す商品の配送時刻の算出方法を他の算出方法に置換することもできる。その算出方法としては、顧客が特定の商品にフラグを付与し、そのフラグが付与された商品に端末２００の入力装置を介して入力された配送時刻を対応付けることが例示される。このとき、このようなオンライン販売装置は、既述の実施の形態と同様にして、複数の商品を複数の配送日時に分けて購入するときの顧客の作業をより容易にすることができる。さらに、このようなオンライン販売装置によれば、顧客は、顧客が商品を配送してもらいたい配送日時をさらに自由に設定することができる。このようなオンライン販売装置は、さらに、商品情報画面６０が備える第１ボタン６２と第２ボタン６３とを単一のショッピングカートボタンに置換することができ、商品情報画面６０を閲覧しやすくすることができる。
【符号の説明】
【００６４】
１００：オンライン販売装置
２００：端末
３００：決済システム
４００：配送システム
５００：インターネット
１１０：店舗処理部
１２０：顧客情報格納部
１３０：商品情報格納部
１４０：第１購入品情報格納部
１５０：第２購入品情報格納部
１６０：配送時刻情報格納部
１    ：購入要求情報収集部
２    ：配送時刻情報配信部
３    ：決済情報配信部
１０  ：顧客情報
１１  ：顧客ＩＤ集合
１２  ：氏名集合
１４  ：住所集合
２０  ：商品情報
２１  ：商品ＩＤ集合
２２  ：商品名集合
２３  ：価格集合
３０  ：第１購入品情報
３１  ：顧客ＩＤ集合
３２  ：商品ＩＤ集合
３３  ：要求受付日集合
４０  ：第２購入品情報
４１  ：顧客ＩＤ集合
４２  ：商品ＩＤ集合
４３  ：要求受付日集合
５０  ：配送時刻情報
５１  ：時刻集合
５２  ：顧客ＩＤ集合
５３  ：商品ＩＤ集合
６０  ：商品情報画面
６１  ：商品情報欄
６２  ：第１ボタン
６３  ：第２ボタン
７０  ：カート状況画面
７１  ：通常配送カート領域
７２  ：後から配送カート領域
７３−１〜７３−ｎ：複数の商品名表示欄
７４−１〜７４−ｎ：複数の数量表示欄
７５−１〜７５−ｎ：複数の価格表示欄
７６−１〜７６−ｎ：複数の数量変更ボタン
７７−１〜７７−ｎ：複数の削除ボタン
７８−１〜７８−ｎ：複数のカート移動ボタン
８１−１〜８１−ｍ：複数の商品名表示欄
８２−１〜８２−ｍ：複数の数量表示欄
８３−１〜８３−ｍ：複数の価格表示欄
８４−１〜８４−ｍ：複数の数量変更ボタン
８５−１〜８５−ｍ：複数の削除ボタン
８６−１〜８６−ｍ：複数のカート移動ボタン
【図１】
2011053921.tif 000003
【図２】
2011053921.tif 000004
【図３】
2011053921.tif 000005
【図４】
2011053921.tif 000006
【図５】
2011053921.tif 000007
【図６】
2011053921.tif 000008
【図７】
2011053921.tif 000009
【図８】
2011053921.tif 000010
【図９】
2011053921.tif 000011
【図１０】
2011053921.tif 000012